(57)【要約】【課題】電気柵の支柱に強固かつ安定的に取り付けることができ、しかもそのために取付金具の軸径を太くする必要がなく、生産原価を抑えることができる電気柵用電線碍子を提供すること。【解決手段】基端の軸部１１にねじが設けられており、他方に電気柵用支柱４に係止するフック部１２が形成された取付金具１０と、この取付金具１０の軸部１１に挿通される絶縁体からなる碍子本体１３と、取付金具１０の軸部１１に螺合されるナット１４とを備えた電気柵用電線碍子において、取付金具１０のフック部１２を多角形状に形成し、取付金具１０のフック部１２が電気柵用支柱４の外面と２箇所以上で接触するようにした。【選択図】図１
2007305307.tif 000002
【特許請求の範囲】
【請求項１】
基端の軸部にねじが設けられており、他方に電気柵用支柱に係止するフック部が形成された取付金具と、この取付金具の軸部に挿通される絶縁体からなる碍子本体と、前記取付金具の軸部に螺合されるナットとを備えた電気柵用電線碍子において、前記取付金具のフック部を多角形状に形成し、前記取付金具のフック部が電気柵用支柱の外面と２箇所以上で接触するようにしたことを特徴とする電気柵用電線碍子。
【発明の詳細な説明】
【技術分野】
【０００１】
本発明は、田畑に被害を与える害獣を電気的衝撃によって撃退させる電気柵に使用する裸電線を支持するための碍子に関するものである。
【背景技術】
【０００２】
山間部やそこに近い農地では、猪や猿等の害獣が出没し作物を食い荒す被害が起こり、深刻な問題となっている。このような被害を未然に防ぐために、図５に示すような電気柵が使用されている。電気柵は、保護すべき農地の周りに所定の間隔で支柱４を立て、支柱４に電線碍子３を取り付け、電線碍子３に裸電線２を係止させて裸電線２を田畑の周囲に張り巡らせることによって構成される。そして、裸電線２に電気柵本体１から発生する衝撃電圧を流し、害獣が裸電線２に触れたときの電撃で害獣を撃退する。害獣は、裸電線２による電撃を嫌って、電気柵に近づかなくなるという効果がある。
【０００３】
上述のように、電気柵において裸電線２を支柱４に支持するためには、従来より電線碍子３が用いられている（特許文献１参照）。図６は従来の電線碍子を示す断面図である。図６において、３０は取付金具、３１はねじが設けられている軸部、３２は電気柵の支柱４に係止するフック部、３３は合成樹脂製等の絶縁体からなる碍子本体、３４は支柱４と碍子本体３３を締め付けるために軸部３１にねじ込まれる蝶ナットである。また、電線巻付け部４０ａ、４０b及びスリット部４０ｃ（図７参照）を設け、そこに裸電線を巻き付け固定したり、季節による温度差や動物や物が当たったりする等の原因で裸電線が弛んだ場合に巻き直したりすることができるようになっている。
【０００４】
この電線碍子を支柱４に取り付ける際は、まず、蝶ナット３４を回し緩めて、図７に示すように、蝶ナット３４、碍子本体３３、取付金具３０を分離して取り外す。そして、支柱４に取付金具３０のフック部３２を引っ掛け、取付金具の軸部３１を碍子本体３３の貫通穴３５に挿通させ、蝶ナット３４を回し締め付ける。図８が取付完了図である。
【０００５】
このような従来の電線碍子において、支柱４に係止するフック部３２は円弧状になっており、このため、取付状態では図９に示すように、フック部３２と支柱４は接触点３６ａの１箇所のみで接触し、支柱４及び碍子本体３３は、この接触点３６ａと、支柱４と碍子本体３３との接触点３６ｂの２点の接触箇所にて支持され固定される。
【特許文献１】特開平８−２４９９６２号公報
【発明の開示】
【発明が解決しようとする課題】
【０００６】
このように、従来の電線碍子においては、これを支柱４に取り付ける際には、取付金具３０のフック部３２と支柱４との接触箇所が１箇所のみであり、支柱４へ強固かつ安定的に取り付けることができないことがある。また、強固に取り付けようとして、蝶ナット３４を強く締め付けるとフック部３２の変形が生じる等の不具合が起こり、それらを解決するためには取付金具３０の軸径を太くして強度を増す必要があり、生産原価の増加につながる。
【０００７】
本発明が解決しようとする課題は、電気柵の支柱に強固かつ安定的に取り付けることができ、しかもそのために取付金具の軸径を太くする必要がなく、生産原価を抑えることができる電気柵用電線碍子を提供することにある。
【課題を解決するための手段】
【０００８】
本発明の電気柵用電線碍子は、基端の軸部にねじが設けられており、他方に電気柵用支柱に係止するフック部が形成された取付金具と、この取付金具の軸部に挿通される絶縁体からなる碍子本体と、前記取付金具の軸部に螺合されるナットとを備えた電気柵用電線碍子において、前記取付金具のフック部を多角形状に形成し、前記取付金具のフック部が電気柵用支柱の外面と２箇所以上で接触するようにしたことを特徴とするものである。
【発明の効果】
【０００９】
本発明によれば、取付金具のフック部の形状を円弧形ではなく多角形にし、フック部が支柱と２箇所以上で接触するようにしたことにより、支柱に強固かつ安定的に取り付けることができるようになる。
【００１０】
また、強固に取り付けることができることにより、ナットをフック部の形状が円弧状のときよりも強く締め付ける必要がなく、取付金具の強度を増すため軸径の太いものを使用しなくてもよいので、生産原価を抑えることができ経済的である。
【発明を実施するための最良の形態】
【００１１】
以下、図面に示す実施例に基づき本発明の実施の形態を説明する。図１は本発明の電線碍子の一実施例を示す断面図、図２はその分解斜視図である。
【００１２】
これらの図において、１０は取付金具、１１はねじが設けられている軸部、１２は電気柵の支柱４に係止するフック部、１３は合成樹脂製等の絶縁体からなる碍子本体、１４は支柱４と碍子本体１３を締め付けるために軸部１１にねじ込まれる蝶ナットである。また、電線巻付け部２０ａ、２０b及びスリット部２０ｃを設け、そこに裸電線を巻き付け固定したり、季節による温度差や動物や物が当たったりする等の原因で裸電線が弛んだ場合に巻き直したりすることができるようになっている。
【００１３】
本実施例では取付金具１０のフック部１２を菱形状に形成している。このような菱形状のフック部１２は、取付金具１０の素材である丸棒材に軸部１１を３０ｍｍ程度設け、さらに角１６aを起点として角１６b、角１６cを形成し、角１６ｃから終端１６dまで延出させることによって形成できる。
【００１４】
この電線碍子を支柱４に取り付ける際は、まず、蝶ナット１４を回し緩めて、図２に示すように、蝶ナット１４、碍子本体１３、取付金具１０を分離して取り外す。そして、支柱４に取付金具１０のフック部１２を引っ掛け、取付金具の軸部１１を碍子本体１３の貫通穴１５に挿通させ、蝶ナット１４を回し締め付ける。図３が取付完了図である。
【００１５】
上述の構成の電線碍子によれば、取付状態においては図４に示すように、フック部１２と支柱４は接触点１７ａ、１７ｂの２箇所で接触し、支柱４及び碍子本体１３は、この接触点１７ａ、１７ｂと、支柱４と碍子本体１３との接触点１７ｃとの合計３点の接触箇所にて支持され固定される。すなわち、図９で示した従来のフック部が円弧状のものに比べ、接触箇所が増え、碍子本体１３を支柱４に強固かつ安定的に固定できる。そして、蝶ナット１４をフック部の形状が円弧状のときよりも強く締め付ける必要がない。ゆえに、フック部１２の変形が生じる等の不具合が起こりにくい。取付金具１０もそれほど強度を要しないため軸径を細くでき、生産原価を抑えることができ経済的である。
【図面の簡単な説明】
【００１６】
【図１】本発明の電線碍子の一実施例を示す断面図である。
【図２】図１に示す電線碍子の分解斜視図である。
【図３】図１に示す電線碍子の取付完了状態を示す斜視図である。
【図４】図１に示す電線碍子の取付完了状態を示す断面図である。
【図５】電気柵の代表的な概要図である。
【図６】従来の電線碍子を示す断面図である。
【図７】図６に示す電線碍子の分解斜視図である。
【図８】図６に示す電線碍子の取付完了状態を示す斜視図である。
【図９】図６に示す電線碍子の取付完了状態を示す断面図である。
【符号の説明】
【００１７】
１  電気柵本体
２  裸電線
３  電線碍子
４  支柱
１０  取付金具
１１  軸部
１２  フック部
１３  碍子本体
１４  蝶ナット
１５  貫通穴
１６ａ〜１６ｃ  角
１６ｄ  終端
１７ａ〜１７ｃ  接触点
２０ａ、２０ｂ  電線巻付け部
２０ｃ  スリット部
３０  取付金具
３１  軸部
３２  フック部
３３  碍子本体
３４  蝶ナット
３５  貫通穴
３６ａ、３６ｂ  接触点
４０ａ、４０ｂ  電線巻付け部
４０ｂ  スリット部
【図１】
2007305307.tif 000003
【図２】
2007305307.tif 000004
【図３】
2007305307.tif 000005
【図４】
2007305307.tif 000006
【図５】
2007305307.tif 000007
【図６】
2007305307.tif 000008
【図７】
2007305307.tif 000009
【図８】
2007305307.tif 000010
【図９】
2007305307.tif 000011